(57)【要約】実施例による液体レンズ部は、伝導性の第１液体および非伝導性の第２液体を収容するキャビティ（cavity）を有する第１プレートと、第１プレート上に配置される第１電極と、第１プレートの下に配置される第２電極と、第１電極上に配置される第２プレートと、第２電極の下に配置される第３プレートと、第１プレートと第３プレートとの間に配置される弾性部材と、を有する。【選択図】  図５ａ
2021524607.tif 000002
【特許請求の範囲】
【請求項１】
伝導性の第１液体および非伝導性の第２液体を収容するキャビティ（cavity）を有する第１プレートと、
前記第１プレート上に配置される第１電極と、
前記第１プレートの下に配置される第２電極と、
前記第１電極上に配置される第２プレートと、
前記第２電極の下に配置される第３プレートと、
前記第１プレートと前記第３プレートとの間に配置される弾性部材と、を有する、液体レンズ。
【請求項２】
前記弾性部材は、前記第１プレートの下面に配置された収容溝に少なくとも一部が収容される、請求項１に記載の液体レンズ。
【請求項３】
前記第１電極は、前記キャビティの側壁を成す前記第１プレートの側面および底面に沿って延び、
前記弾性部材は、前記第１プレートの底面上で前記第１電極と前記第２電極との間に配置され、トロイダル形状を有する、請求項１に記載の液体レンズ。
【請求項４】
前記弾性部材は、上面および外周面の少なくとも一部にわたって配置される電極板を有し、
前記液体レンズは、
前記第１プレート内に配置される第３電極と、
前記第３電極と前記弾性部材の上面に配置された前記電極板との間に配置される誘電層と、
前記第１プレートの下面に配置され、前記外周面に配置された前記電極板と電気的に連結される第４電極と、をさらに有し、
前記第３電極、前記誘電層および前記外周面に配置された前記電極板は、垂直方向に少なくとも一部が重畳する、請求項３に記載の液体レンズ。
【請求項５】
前記第３電極は、前記第１プレートの縁端から延びて下面の少なくとも一部が前記電極板と垂直方向に重畳するように光軸に向かって延びる、請求項４に記載の液体レンズ。
【請求項６】
前記誘電層は、前記キャビティの内部圧力の変化によって前記弾性部材の垂直方向への移動を許容する、請求項４に記載の液体レンズ。
【請求項７】
前記弾性部材は、前記収容溝内に収容される上部に突出部を有する、請求項２に記載の液体レンズ。
【請求項８】
前記弾性部材は、前記第２電極と前記第３プレートとの間で前記第３プレートの内側面に沿って配置される、請求項１に記載の液体レンズ。
【請求項９】
前記弾性部材は、チューブ形状を有し、内部に前記第１液体および前記第２液体より密度が低い物質を有する、請求項１に記載の液体レンズ。
【請求項１０】
第１開口と、前記第１開口と光軸方向に垂直な方向に対面する第２開口と、を有するホルダと、
前記第１開口と前記第２開口との間に配置される液体レンズ部と、を有し、
前記液体レンズ部は、
伝導性の第１液体および非伝導性の第２液体を収容するキャビティ（cavity）を有する第１プレートと、
前記第１プレート上に配置される第１電極と、
前記第１プレートの下に配置される第２電極と、
前記第１電極上に配置される第２プレートと、
前記第２電極の下に配置される第３プレートと、
前記第１液体と接触し、前記第１液体の膨張によって加圧されて収縮する弾性部材と、を有する、レンズアセンブリ。
【発明の詳細な説明】
【技術分野】
【０００１】
実施例は、液体レンズおよびこれを含むレンズアセンブリに関するものである。
【背景技術】
【０００２】
携帯用装置の使用者は、高解像度を有し、サイズが小さくて多様な撮影機能を有する光学機器を望んでいる。例えば、多様な撮影機能とは、光学ズーム機能（zoom-in/zoom-out）、オートフォーカス（ＡＦ：Auto-Focusing）機能ならびに手ぶれ補正もしくは光学式手ぶれ補正（ＯＩＳ：Optical Image Stabilizer）機能の少なくとも一つを意味することができる。
【０００３】
既存（従来）の場合、前述した多様な撮影機能を具現するために、多数のレンズを組み合わせ、その組み合わせられたレンズを直接動かす方法を用いた。しかしながら、このようにレンズの数を増加させる場合、光学機器のサイズが大きくなることがある。
【０００４】
オートフォーカスおよび手ぶれ補正の機能は、レンズホルダに固定されて光軸に沿って整列された多数のレンズが、光軸方向または光軸に垂直な方向に移動するかティルティング（Tilting）することによってなされる。このために、複数のレンズから構成されるレンズアセンブリを駆動させる別途のレンズ駆動装置が要求される。しかしながら、レンズ駆動装置は、電力消費（消耗）が高く、これを保護するためにカメラモジュールとは別にカバーガラスを追加しなければならないなど、既存のカメラモジュールの全体サイズが大きくなる問題がある。これを解消するために、２種液体間の界面の曲率を電気的に調節してオートフォーカスおよび手ぶれ補正の機能を行う液体レンズに関する研究が行われている。
【発明の概要】
【発明が解決しようとする課題】
【０００５】
実施例は、温度上昇による変形とそれによるジオプタの変化とを防止することができる液体レンズ部およびこれを含むレンズアセンブリを提供するためのものである。
【０００６】
実施例で解決しようとする技術的課題は、以上で言及した技術的課題に制限されず、言及しなかった他の技術的課題は、下記の記載から本発明が属する技術分野で通常の知識を有する者に明らかに理解可能であろう。
【課題を解決するための手段】
【０００７】
実施例による液体レンズは、伝導性の第１液体および非伝導性の第２液体を収容するキャビティ（cavity）を有する第１プレートと、第１プレート上に配置される第１電極と、第１プレートの下に配置される第２電極と、第１電極上に配置される第２プレートと、第２電極の下に配置される第３プレートと、第１プレートと第３プレートとの間に配置される弾性部材と、を有する。
【０００８】
例えば、弾性部材は、第１プレートの下面に配置された収容溝に少なくとも一部が収容されることができる。
【０００９】
例えば、第１電極は、キャビティの側壁を成す第１プレートの側面および底面に沿って延び、弾性部材は、第１プレートの底面上で第１電極と第２電極との間に配置され、トロイダル形状を有することができる。
【００１０】
例えば、弾性部材は、上面および外周面の少なくとも一部にわたって配置される電極板を有することができ、液体レンズは、第１プレート内に配置される第３電極と、第３電極と弾性部材の上面に配置された電極板との間に配置される誘電層と、第１プレートの下面に配置され、外周面に配置された電極板と電気的に連結される第４電極と、をさらに有することができ、第３電極、誘電層および外周面に配置された電極板は、垂直方向に少なくとも一部が重畳することができる。
【００１１】
例えば、第３電極は、第１プレートの縁端から延びて下面の少なくとも一部が電極板と垂直方向に重畳するように光軸に向かって延びることができる。
【００１２】
例えば、誘電層は、キャビティの内部圧力の変化によって弾性部材の垂直方向への移動を許容することができる。
【００１３】
例えば、弾性部材は、収容溝内に収容される上部に突出部を有することができる。
【００１４】
例えば、弾性部材は、第２電極と第３プレートとの間で第３プレートの内側面に沿って配置されることができる。
【００１５】
例えば、弾性部材は、チューブ形状を有し、内部に第１液体および第２液体より密度が低い物質を有することができる。
【００１６】
実施例によるレンズアセンブリは、第１開口と、第１開口と光軸方向に垂直な方向に対面する第２開口と、を有するホルダと、第１開口と第２開口との間に配置される液体レンズ部と、を有することができる。ここで、液体レンズ部は、伝導性の第１液体および非伝導性の第２液体を収容するキャビティ（cavity）を有する第１プレートと、第１プレート上に配置される第１電極と、第１プレートの下に配置される第２電極と、第１電極上に配置される第２プレートと、第２電極の下に配置される第３プレートと、第１液体と接触し、第１液体の膨張によって加圧されて収縮する弾性部材と、を有することができる。
【発明の効果】
【００１７】
実施例による液体レンズは、温度上昇による液体の体積膨張が発生しても弾性部材によって変形のおそれが少ない。
【００１８】
実施例によるカメラモジュールは、弾性部材の変形によるキャパシタンス変化の測定が可能であるので、これに基づいて温度上昇による界面変化を補正することができる。
【００１９】
また、本実施例で得られる効果は、以上で言及した効果に制限されず、言及しなかった他の効果は、下記の記載から本発明が属する分野で通常の知識を有する者に明らかに理解可能であろう。
【図面の簡単な説明】
【００２０】
【図１】一実施例によるカメラモジュールの概略側面図である。
【図２】図１に示したカメラモジュールの一実施例の分解斜視図である。
【図３】図２に示したカメラモジュールの断面図である。
【図４】図１および図３に示したホルダおよび液体レンズ部を説明する図である。
【図５ａ】前述した実施例による液体レンズを含む液体レンズ部の実施例の断面図である。
【図５ｂ】前述した実施例による液体レンズを含む液体レンズ部の実施例の断面図である。
【図６】他の実施例による液体レンズ部の断面図である。
【図７】他の実施例による液体レンズ部の断面図である。
【図８】他の実施例による液体レンズ部の断面図である。
【図９ａ】さらに他の実施例による液体レンズ部の断面図である。
【図９ｂ】さらに他の実施例による液体レンズ部の斜視図である。
【図９ｃ】さらに他の実施例による液体レンズ部の底面図である。
【図１０】第３プレートが変形された場合の液体レンズ部の断面図である。
【図１１】カメラモジュールの概略ブロック図である。
【図１２】（ａ）および（ｂ）は、駆動電圧に対応して界面が調整される液体レンズを説明する図である。
【発明を実施するための形態】
【００２１】
以下、添付図面に基づいて実施例を詳細に説明する。実施例は、多様な変更を加えることができ、様々な形態を有することができるが、特定の実施例を図面に例示し本文に詳細に説明しようとする。しかしながら、これは、実施例を特定の開示形態に限定しようとするものではなく、実施例の思想および技術範囲に含まれる全ての変更、均等物ないし代替物を含むものと理解すべきである。
【００２２】
“第１”、“第２”などの用語は、多様な構成要素を説明するのに使えるが、このような構成要素は、上記用語によって限定されてはいけない。上記用語は、一構成要素を他の構成要素と区別する目的のみで使われる。また、実施例の構成および作用を考慮して特別に定義された用語は、実施例を説明するためのものであるだけであり、実施例の範囲を限定するものではない。
【００２３】
実施例の説明において、各要素（element）の“上または下（on or under）”に形成されるものとして記載される場合、上または下（on or under）は、２つの要素（element）が互いに直接（directly）接触するか、あるいは一つまたは複数の他の要素（element）が上記２つの要素（element）の間に配置されて（indirectly）形成されるものを全て含む。また、“上または下（on or under）”と表現される場合、１個の要素（element）を基準に上方だけでなく下方の意味も含むことができる。
【００２４】
また、以下で使われる“上／上部／上の”および“下／下部／下の”などの関係的用語は、そのような実体または要素間のある物理的または論理的関係または手順を必ず要求するか内包せず、ある一つの実体または要素を他の実体または要素と区別するために用いることもできる。
【００２５】
本出願で使用した用語は、単に特定の実施例を説明するために使用したものであり、本発明を限定しようとするものではない。単数の表現は、文脈上明白に他に指示しない限り、複数の表現を含む。本出願で、“含む”または“有する”などの用語は、明細書上に記載された特徴、数字、段階、動作、構成要素、部品またはこれらの組合せが存在することを指定しようとするものであり、一つもしくは複数の他の特徴、数字、段階、動作、構成要素、部品またはこれらの組合せの存在または付加の可能性を予め排除しないものとして理解しなければならない。
【００２６】
特に他に定義しない限り、技術的または科学的な用語を含めてここで使われる全ての用語は、本発明が属する技術分野で通常の知識を有する者が一般的に理解しているものと同じ意味を有することができる。一般的に使われる辞書に定義されているもののような用語は、関連技術の文脈上で有する意味と一致する意味を有するものと解釈されなければならず、本出願で明白に定義しない限り、理想的にまたは過度に形式的な意味で解釈されない。
【００２７】
以下、実施例によるレンズアセンブリおよびこれを含むカメラモジュールをデカルト座標系に基づいて説明するが、実施例はこれに限られない。すなわち、デカルト座標系によれば、ｘ軸、ｙ軸およびｚ軸は、互いに直交するが、実施例はこれに限られない。すなわち、ｘ軸、ｙ軸、ｚ軸は、直交する代わりに互いに交差することができる。
【００２８】
以下、一実施例によるカメラモジュール１００を添付図面の図４に基づいて次のように説明する。
【００２９】
図１は、一実施例によるカメラモジュール１００の概略側面図を示す。
【００３０】
図１を参照すると、カメラモジュール１００は、レンズアセンブリ２２、制御回路２４およびイメージセンサ２６を含むことができる。
【００３１】
まず、レンズアセンブリ２２は、複数のレンズ部および複数のレンズ部を収容するホルダを含むことができる。後述するように、複数のレンズ部は、液体レンズを含むことができ、第１レンズ部または第２レンズ部をさらに含むことができる。複数のレンズ部は、第１および第２レンズ部ならびに液体レンズ部を含むことができる。
【００３２】
制御回路２４は、液体レンズ部に駆動電圧（または、動作電圧）を供給する役割を果たす。
【００３３】
前述した制御回路２４とイメージセンサ２６とは、単一のプリント基板（ＰＣＢ：Printed Circuit Board）上に配置されることができるが、これは一例に過ぎないだけで、実施例はこれに限られない。
【００３４】
実施例によるカメラモジュール１００が光学機器（Optical Device、Optical Instrument）に適用される場合、制御回路２４の構成は、光学機器で要求する仕様によって違うように設計されることができる。特に、制御回路２４は、単一のチップ（single chip）から具現され、レンズアセンブリ２２に印加される駆動電圧の強度を減らすことができる。これにより、携帯用装置に搭載される光学機器の大きさがより小さくなることができる。
【００３５】
図２は、図１に示したカメラモジュール１００の一実施例による分解斜視図を示す。
【００３６】
図２を参照すると、カメラモジュール１００は、レンズアセンブリ、メイン基板１５０およびイメージセンサ１８２を含むことができる。また、カメラモジュール１００は、第１カバー１７０およびミドルベース１７２をさらに含むことができる。また、カメラモジュール１００は、少なくとも一つの接着部材をさらに含むことができる。少なくとも一つの接着部材は、ホルダ１２０に液体レンズ部１４０を結合させるか固定する役割を果たす。カメラモジュール１００は、センサベース１７８およびフィルタ１７６をさらに含むこともでき、図２に示したように、センサベース１７８およびフィルタ１７６を含まなくてもよい。また、カメラモジュール１００は、回路カバー１５４をさらに含むことができる。回路カバー１５４は、電磁気を遮蔽する機能を果たすことができる。
【００３７】
また、図２に示したカメラモジュール１００は、センサベース１７８およびフィルタ１７６をさらに含む。
【００３８】
実施例によれば、図２に示したカメラモジュール１００Ｂの構成要素１１０〜１７６の少なくとも一つは、省略することができる。あるいは、図２に示した構成要素１１０〜１７６と違う少なくとも一つの構成要素がカメラモジュール１００にさらに含まれることもできる。
【００３９】
図３は、図２に示したカメラモジュール１００の断面図を示す。すなわち、図３は、図２に示したカメラモジュール１００をＡ−Ａ’線に沿って切断した断面図を示す。説明の便宜上、図３で、図２に示した第１カバー１７０、回路カバー１５４およびコネクタ１５３の図示は省略されており、実際にカメラモジュール１００から省略されることもできる。
【００４０】
図２および図３を参照すると、レンズアセンブリは、液体レンズ部１４０、ホルダ１２０、第１レンズ部１１０、１１０Ａ、および第２レンズ部１３０、１３０Ａの少なくとも一つを含むことができ、図１に示したレンズアセンブリ２２に相当することができる。このようなレンズアセンブリは、メイン基板１５０上に配置されることができる。
【００４１】
レンズアセンブリにおいて、液体レンズ部１４０と区別するために、第１レンズ部１１０および第２レンズ部１３０を‘第１固体レンズ部’および‘第２固体レンズ部’とそれぞれ言うこともできる。
【００４２】
第１レンズ部１１０は、レンズアセンブリの上側に配置され、レンズアセンブリの外部から光が入射する領域であることができる。すなわち、第１レンズ部１１０、１１０Ａは、ホルダ１２０内で液体レンズ部１４０上に配置されることができる。第１レンズ部１１０、１１０Ａは、単一のレンズから具現されることもでき、中心軸を基準に整列されて光学系をなす２個以上の複数のレンズから具現されることもできる。
【００４３】
ここで、中心軸とは、カメラモジュール１００Ａに含まれる第１レンズ部１１０、１１０ａ、液体レンズ部１４０および第２レンズ部１３０、１３０ａがなす光学系の光軸（Optical axis）ＬＸを意味することもでき、光軸ＬＸに平行な軸を意味することもできる。光軸ＬＸは、イメージセンサ１８２の光軸に相当することができる。すなわち、第１レンズ部１１０、１１０Ａ、液体レンズ部１４０、第２レンズ部１３０、１３０Ａおよびイメージセンサ１８２は、アクティブアライメント（ＡＡ：Active Align）によって光軸ＬＸに整列されて配置されることができる。
【００４４】
ここで、アクティブアライメントとは、より良いイメージ獲得のために、第１レンズ部１１０、１１０Ａ、第２レンズ部１３０、１３０Ａおよび液体レンズ部１４０のそれぞれの光軸を一致させ、イメージセンサ１８２とレンズ部１１０、１１０Ａ、１３０、１３０Ａ、１４０との間の軸または距離関係を調節する動作を意味することができる。
【００４５】
一実施例として、アクティブアライメントは、特定の客体から入射する光を第１レンズ部１１０、１１０Ａ、第２レンズ部１３０、１３０Ａおよび液体レンズ部１４０の少なくとも一つを介してイメージセンサ１８２が受信して生成したイメージデータを分析する動作によって行うことができる。例えば、アクティブアライメントは、次のような順に行うことができる。
【００４６】
一例として、ホルダ１２０に固定されて装着された第１レンズ部１１０、１１０Ａ、第２レンズ部１３０、１３０Ａとイメージセンサ１８２との間の相対的位置を調節するアクティブアライメント（第１整列）が完了した後、ホルダ１２０に挿入された液体レンズ部１４０とイメージセンサ１８２との間の相対的位置を調節するアクティブアライメント（第２整列）を行うことができる。第１整列は、グリッパ（gripper）がミドルベース１７２を握った状態で多様な位置に可変させながら行うことができ、第２整列は、グリッパが液体レンズ部１４０のスペーサ１４３を握った状態で多様な位置に可変させながら行うことができる。
【００４７】
しかしながら、アクティブアライメントは、前述した手順と違う手順で行うこともできる。
【００４８】
ミドルベース１７２が省略される場合、グリッパがホルダ１２０の突出部１２４を握った状態でアクティブアライメントを行うことができる。ここで、突出部１２４の厚さが薄い場合、アクティブアライメントが正確に行われないこともある。これを防止するために、カメラモジュール１００Ａは、ホルダ１２０の突出部１２４より大きい厚さを有するミドルベース１７２を含むことができる。ミドルベース１７２の形状より相対的に複雑なホルダ１２０の形状を射出などによって形成するために、ホルダ１２０の厚さ管理が必要なこともある。アクティブオルラインのためのホルダ１２０部分の厚さがグリップに十分ではない場合、ミドルベース１７２を付け加え、ミドルベース１７２部分をグリップしてアクティブアライメントを行うことができる。しかしながら、突出部１２４の厚さが充分に厚い場合、ミドルベース１７２は省略されることができる。また、突出部１２４とミドルベース１７２とは、接着部材、例えばエポキシによって互いに結合されることができる。
【００４９】
他の例として、ホルダ１２０に固定されて装着された第１レンズ部１１０、１１０Ａ、第２レンズ部１３０、１３０Ａと液体レンズ部１４０との間の相対的位置を調節するアクティブアライメント（第３整列）が完了した後、第３整列が完了したレンズアセンブリのレンズとイメージセンサ１８２との間の相対的位置を調節するアクティブアライメント（第４整列）を行うことができる。第３整列は、液体レンズ部１４０のスペーサ１４３を握った状態で多様な位置に可変させながら行うことができ、第４整列は、グリッパ（gripper）がミドルベース１７２を握った状態で多様な位置に可変させながら行うことができる。
【００５０】
また、図３に例示したように、第１レンズ部１１０Ａは、例えば２個のレンズＬ１、Ｌ２を含むことができるが、これは例示的なものであり、第１レンズ部１１０Ａに含まれるレンズの個数は、１個または３個以上であることができる。
【００５１】
また、第１レンズ部１１０、１１０Ａの上側に、露出レンズが配置されることができる。ここで、露出レンズとは、第１レンズ部１１０、１１０Ａに含まれるレンズの中で最外殻レンズを意味することができる。すなわち、第１レンズ部１１０、１１０Ａの最上部に位置するレンズＬ１が上方に突出するので、露出レンズの機能を行うことができる。露出レンズは、ホルダ１２０の外部に突出して表面が損傷する可能性を有する。露出レンズの表面が損傷する場合、カメラモジュール１００Ａで撮影されるイメージの画質が低下することがある。よって、露出レンズの表面損傷を防止および抑制するために、露出レンズの上部にカバーガラス（cover glass）を配置するか、コーティング層を形成するか、露出レンズの表面損傷を防止するために、他のレンズ部のレンズより剛性の高い耐磨耗性素材から露出レンズを具現することもできる。
【００５２】
また、第１レンズ部１１０Ａに含まれるレンズＬ１、Ｌ２のそれぞれの外径は、下方（例えば、−ｚ軸方向）に行くほど増加することができるが、実施例はこれに限定されない。
【００５３】
図４は、図２および図３に示したホルダ１２０および液体レンズ部１４０を説明する図である。すなわち、図４は、ホルダ１２０および液体レンズ部１４０の分解斜視図を示す。図４に示したホルダ１２０は、第１および第２ホールＨ１、Ｈ２ならびに第１〜第４側壁を含むことができる。
【００５４】
図２の場合、第１連結基板１４１および第２連結基板１４４が−ｚ軸方向にベンディング（折曲）される前の平面図を示す反面、図４の場合、第１連結基板１４１および第２連結基板１４４が−ｚ軸方向にベンディングされた後の形状を示す。また、図３に示したように、スペーサ１４３は、第１連結基板１４１と第２連結基板１４４との間に配置されることができ、ホルダ１２０の第１および第２開口ＯＰ１、ＯＰ２の少なくとも一つから突出して配置されることができる。
【００５５】
また、スペーサ１４３は、リング形状を有し、液体レンズ１４２の側面を取り囲むように配置されることができる。スペーサ１４３の上部および下部には、接着物質によって連結基板１４１、１４４との結合力を高めるために、凹凸部が含まれることができる。連結基板１４１、１４４もスペーサ１４３の形状に対応することができ、リング形状を含むことができる。
【００５６】
第１および第２ホールＨ１、Ｈ２は、ホルダ１２０の上部および下部にそれぞれ形成され、ホルダ１２０の上部および下部をそれぞれ開放させることができる。ここで、第１ホールＨ１および第２ホールＨ２は、貫通ホールでもあり得る。第１レンズ部１１０、１１０Ａは、ホルダ１２０の内部に形成された第１ホールＨ１に収容、装着、着座、接触、固定、仮固定、支持、結合、または配置されることができ、第２レンズ部１３０、１２０Ａは、ホルダ１２０の内部に形成された第２ホールＨ２に収容、装着、着座、接触、固定、仮固定、支持、結合、または配置されることができる。
【００５７】
また、ホルダ１２０の第１および第２側壁は、光軸ＬＸ方向に垂直な方向（例えば、ｘ軸方向）に互いに対面するように配置され、第３および第４側壁は、光軸ＬＸ方向に垂直な方向（例えば、ｙ軸方向）に互いに対面するように配置されることができる。また、図４に例示したように、ホルダ１２０で、第１側壁は第１開口ＯＰ１を含み、第２側壁は、第１開口ＯＰ１と同一または類似の形状の第２開口ＯＰ２を含むことができる。よって、第１側壁に配置された第１開口ＯＰ１と第２側壁に配置された第２開口ＯＰ２とは、光軸ＬＸ方向に垂直な方向（例えば、ｘ軸方向）に互いに対面するように配置されることができる。
【００５８】
第１および第２開口ＯＰ１、ＯＰ２によって、液体レンズ部１４０が配置されるホルダ１２０の内部空間が開放されることができる。ここで、液体レンズ部１４０は、第１または第２開口ＯＰ１、ＯＰ２を通して挿入され、ホルダ１２０の内部空間に装着、着座、接触、固定、仮固定、支持、結合、または配置されることができる。例えば、液体レンズ部１４０は、第１開口ＯＰ１を通してホルダ１２０の内部空間に挿入されることができる。
【００５９】
このように、液体レンズ部１４０が第１または第２開口ＯＰ１、ＯＰ２を通してホルダ１２０の内部空間に挿入されることができるように、光軸ＬＸ方向を基準にホルダ１２０の第１または第２開口ＯＰ１、ＯＰ２のそれぞれの大きさは、液体レンズ部１４０のｙ軸方向およびｚ軸方向への断面積より大きいことができる。例えば、光軸ＬＸ方向に第１および第２開口ＯＰ１、ＯＰ２のそれぞれの大きさに相当する高さＨは、液体レンズ部１４０の厚さＴＯより大きいことができる。
【００６０】
第２レンズ部１３０、１３０Ａは、ホルダ１２０の内部で液体レンズ部１４０の下に配置されることができる。第２レンズ部１３０、１３０Ａは、第１レンズ部１１０、１１０Ａから光軸方向（例えば、ｚ軸方向）に隔たって配置されることができる。
【００６１】
カメラモジュール１００Ａの外部から第１レンズ部１１０、１１０Ａに入射した光は、液体レンズ部１４０を通過して第２レンズ部１３０、１３０Ａに入射することができる。第２レンズ部１３０、１３０Ａは、単一のレンズから具現されることもでき、中心軸を基準に整列されて光学系を形成する２個以上の複数のレンズから具現されることもできる。例えば、図３に例示したように、第２レンズ部１３０Ａは、３個のレンズＬ３、Ｌ４、Ｌ５を含むことができるが、これは例示的なものであり、第２レンズ部１３０、１３０Ａに含まれるレンズの個数は、２個以下または４個以上であることができる。
【００６２】
また、第２レンズ部１３０Ａに含まれるレンズＬ３、Ｌ４、Ｌ５のそれぞれの外径は、下方（例えば、−ｚ軸方向）に行くほど増加することができるが、実施例はこれに限定されない。
【００６３】
液体レンズ部１４０とは違い、第１レンズ部１１０、１１０Ａおよび第２レンズ部１３０、１３０Ａのそれぞれは、固体レンズであり、ガラスまたはプラスチックから具現されることができるが、実施例は、第１レンズ部１１０、１１０Ａおよび第２レンズ部１３０、１３０Ａのそれぞれの特定の素材に限られない。
【００６４】
また、図３を参照すると、液体レンズ部１４０は、第１〜第５領域Ａ１、Ａ２、Ａ３、Ａ４、Ａ５を含むことができる。
【００６５】
第１領域Ａ１は、ホルダ１２０の第１開口ＯＰ１の内部に配置された領域であり、第２領域Ａ２は、ホルダ１２０の第２開口ＯＰ２の内部に配置された領域であり、第３領域Ａ３は、第１領域Ａ１と第２領域Ａ２との間の領域である。第４領域Ａ４は、ホルダ１２０の第１開口ＯＰ１から突出する領域で、第１開口ＯＰ１側からホルダ１２０の外部に配置された領域である。第５領域Ａ５は、ホルダ１２０の第２開口ＯＰ２から突出する領域で、第２開口ＯＰ２側からホルダ１２０の外部に配置された領域である。
【００６６】
また、図２に示したように、液体レンズ部１４０は、第１連結基板（または、個別電極連結基板）１４１、液体レンズ（または、液体レンズ本体）１４２、スペーサ１４３および第２連結基板（または、共通電極連結基板）１４４を含むことができる。
【００６７】
第１連結基板１４１は、液体レンズ１４２に含まれる複数の第１電極（図示せず）をメイン基板１５０に電気的に連結（接続）し、液体レンズ１４２上に配置されることができる。第１連結基板１４１は、フレキシブルプリント基板（ＦＰＣＢ：Flexible Printed Circuit Board）から具現されることができる。
【００６８】
また、第１連結基板１４１は、複数の第１電極のそれぞれと電気的に連結された連結パッド（図示せず）を介してメイン基板１５０上に形成された電極パッド（図示せず）と電気的に連結されることができる。このために、液体レンズ部１４０がホルダ１２０の内部空間に挿入された後、第１連結基板１４１は、メイン基板１５０に向かって−ｚ軸方向にベンディング（bending）された後、連結パッド（図示せず）と電極パッド（図示せず）とは、伝導性エポキシ（conductive epoxy）によって電気的に連結されることができる。他の実施例として、第１連結基板１４１は、ホルダ１２０の表面に配置、形成、またはコーティング（コート）された導電性第１ホルダ表面電極と連結され、ホルダ１２０の表面に配置された導電性第１ホルダ表面電極を介してメイン基板１５０と電気的に連結されることができるが、実施例はこれに限定されない。
【００６９】
第２連結基板１４４は、液体レンズ１４２に含まれる第２電極（図示せず）をメイン基板１５０に電気的に連結し、液体レンズ１４２の下に配置されることができる。第２連結基板１４４は、ＦＰＣＢまたは単一メタル基板（伝導性メタルプレート）から具現されることができる。ここで、第１および第２電極について後述する図５に基づいて詳細に説明する。
【００７０】
第２連結基板１４４は、第２電極と電気的に連結された連結パッドを介してメイン基板１５０上に形成された電極パッドと電気的に連結されることができる。このために、液体レンズ部１４０がホルダ１２０の内部空間に挿入された後、第２連結基板１４４は、メイン基板１５０に向かって−ｚ軸方向にベンディングされることができる。他の実施例として、第２連結基板１４４は、ホルダ１２０の表面に配置、形成、またはコーティングされた導電性第２ホルダ表面電極と連結され、ホルダ１２０の表面に配置された導電性第２ホルダ表面電極を介してメイン基板１５０と電気的に連結されることができるが、実施例はこれに限定されない。
【００７１】
液体レンズ１４２は、キャビティ（cavity）ＣＡを含むことができる。図３に示したように、キャビティＣＡにおいて光が入射する方向の開口面積は、反対方向の開口面積より小さいことができる。あるいは、キャビティＣＡの傾斜方向が反対になるように液体レンズ１４２が配置されることもできる。すなわち、図３に示したものとは違い、キャビティＣＡにおいて光が入射する方向の開口面積は、反対方向の開口面積より大きいこともできる。また、キャビティＣＡの傾斜方向が反対になるように液体レンズ１４２が配置されるとき、液体レンズ１４２の傾斜方向によって液体レンズ１４２に含まれる構成の配置全部または一部が一緒に変わるか、キャビティＣＡの傾斜方向のみ変更され、残りの構成の配置は変わらないこともできる。その他、液体レンズ１４２の細部構成については、図５ａを参照して詳細に後述する。
【００７２】
スペーサ１４３は、液体レンズ１４２を取り囲むように配置され、液体レンズ１４２を外部衝撃から保護することができる。このために、スペーサ１４３は、液体レンズ１４２がその内部に装着、着座、接触、固定、仮固定、支持、結合または配置可能な形状を有することができる。
【００７３】
例えば、スペーサ１４３は、液体レンズ１４２を収容する中空１４３Ｈおよび中央に形成された中空１４３Ｈを取り囲むフレームを含むことができる。このように、スペーサ１４３は、中央が開いている方形平面形状（以下、‘ロ’字形という）を有することができるが、実施例はこれに限られない。
【００７４】
また、スペーサ１４３は、第１連結基板１４１と第２連結基板１４４との間に配置されることができ、ホルダ１２０の第１および第２開口ＯＰ１、ＯＰ２の少なくとも一つから突出して配置されることができる。すなわち、スペーサ１４３の少なくとも一部は、第１および第２連結基板１４１、１４４とともに光軸ＬＸに垂直な方向（例えば、ｘ軸方向）にホルダ１２０の第１および第２側壁の少なくとも一つから突出した形状を有することができる。これは、スペーサ１４３のｘ軸方向への長さがホルダ１２０のｘ軸方向への長さより長いからである。よって、スペーサ１４３において第１および第２側壁から突出した部分は、図３に示した第４領域Ａ４および第５領域Ａ５にそれぞれ相当することができる。
【００７５】
また、スペーサ１４３がホルダ１２０に挿入されるときおよびアクティブアライメント過程で、スペーサ１４３は、グリッパと接触することができる。
【００７６】
また、スペーサ１４３の少なくとも一部は、第１開口ＯＰ１および第２開口ＯＰ２の少なくとも一つの内部に配置されることができる。しかしながら、図３の場合、スペーサ１４３が第１開口ＯＰ１および第２開口ＯＰ２に配置されていないもののように図示されている。しかしながら、これと違い、図２および図４に例示したように、スペーサ１４３は、‘ロ’字形を有し液体レンズ１４２を取り囲むので、スペーサ１４３の少なくとも一部が第１および第２開口ＯＰ１、ＯＰ２のそれぞれの内部に配置されることが分かる。
【００７７】
また、液体レンズ１４２の少なくとも一部は、第１開口ＯＰ１および第２開口ＯＰ２の少なくとも一つの内部に配置されることができる。図３を参照すると、液体レンズ１４２の構成要素である液体レンズ１４２の第１プレート１４７が、第１および第２開口ＯＰ１、ＯＰ２のそれぞれの内部に配置されることが分かる。
【００７８】
また、第１および第２開口ＯＰ１、ＯＰ２のそれぞれの内部にスペーサ１４３の少なくとも一部のみ配置され、液体レンズ１４２は配置されないこともできる。
【００７９】
また、図３を参照すると、ホルダ１２０は、液体レンズ部１４０上に配置されたホルダ上部領域１２０Ｕおよび液体レンズ部１４０の下に配置されたホルダ下部領域１２０Ｄを含むことができる。ここで、第１および第２接着部材１６２Ａ、１６４Ａのそれぞれは、ホルダ上部領域１２０Ｕおよびホルダ下部領域１２０Ｄのそれぞれと液体レンズ部１４０とを結合させることができる。
【００８０】
第１カバー１７０は、ホルダ１２０、液体レンズ部１４０およびミドルベース１７２を取り囲むように配置され、これらの１２０、１４０、１７２を外部の衝撃から保護することができる。特に、第１カバー１７０が配置されることにより、光学系を形成する複数のレンズを外部衝撃から保護することができる。
【００８１】
また、ホルダ１２０に配置される第１レンズ部１１０、１１０Ａが外部光に露出されるように、第１カバー１７０は、その第１カバー１７０の上面に形成された上側開口１７０Ｈを含むことができる。
【００８２】
また、上側開口１７０Ｈには、光透過性物質から構成されたウィンドウが配置されることができ、これにより、カメラモジュール１００Ａの内部にほこりや水分などの異物が浸透することを防止することができる。
【００８３】
また、第１カバー１７０は、ホルダ１２０の上面および第１〜第４側壁を覆うように配置されることができる。
【００８４】
図２および図３を参照すると、ミドルベース１７２は、ホルダ１２０の第２ホールＨ２を取り囲むように配置されることができる。このために、ミドルベース１７２は、第２ホールＨ２を収容するための収容ホール１７２Ｈを含むことができる。ミドルベース１７２の内径（すなわち、収容ホール１７２Ｈの直径）は、第２ホールＨ２の外径以上であることができる。
【００８５】
ここで、ミドルベース１７２の収容ホール１７２Ｈおよび第２ホールＨ２の形状は、それぞれ円形のものとして図示されているが、実施例はこれに限定されず、多様な形状に変更されることもできる。
【００８６】
第１カバー１７０の上側開口１７０Ｈと同様に、収容ホール１７２Ｈは、ミドルベース１７２の中央付近で、カメラモジュール１００に配置されたイメージセンサ１８２の位置に対応する位置に形成されることができる。
【００８７】
ミドルベース１７２は、メイン基板１５０上で回路素子１５１から離隔してメイン基板１５０に装着されることができる。すなわち、ホルダ１２０は、回路素子１５１から離隔してメイン基板１５０上に配置されることができる。
【００８８】
メイン基板１５０は、ミドルベース１７２の下部に配置され、イメージセンサ１８２が装着、着座、接触、固定、仮固定、支持、結合、または収容されることができる溝、回路素子１５１、連結部（または、ＦＰＣＢ）１５２およびコネクタ１５３を含むことができる。
【００８９】
メイン基板１５０の回路素子１５１は、液体レンズ部１４０およびイメージセンサ１８２を制御する制御モジュールを構成することができる。ここで、制御モジュールについては、添付図面の図１１を参照して後述する。回路素子１５１は、受動素子および能動素子の少なくとも一つを含むことができ、多様な広さおよび高さを有することができる。回路素子１５１は、複数であることができ、メイン基板１５０の高さより高い高さを有するとともに外部に突出することができる。複数の回路素子１５１は、ホルダ１２０と光軸ＬＸに平行な方向にオーバーラップしないように配置されることができる。例えば、複数の回路素子１５１は、パワーインダクタ（power inductor）およびジャイロセンサなどを含むことができるが、実施例は、回路素子１５１の特定の種類に限られない。
【００９０】
メイン基板１５０は、ホルダ１２０が配置されるホルダ領域と、複数の回路素子１５１が配置される素子領域と、を含むことができる。
【００９１】
メイン基板１５０は、ＦＰＣＢ１５２を含むＲＦＰＣＢ（Rigid Flexible Printed Circuit Board）から具現されることができる。ＦＰＣＢ１５２は、カメラモジュール１００が装着される空間の要求によってベンディングされることがある。
【００９２】
イメージセンサ１８２は、レンズアセンブリ１１０、１２０、１３０、１４０の第１レンズ部１１０、液体レンズ部１４０および第２レンズ部１３０を通過した光をイメージデータに変換する機能を果たすことができる。より具体的には、イメージセンサ１８２は、複数のピクセルを含むピクセルアレイを介して光をアナログ信号に変換し、アナログ信号に相応するデジタル信号を合成してイメージデータを生成することができる。
【００９３】
一方、コネクタ１５３は、メイン基板１５０をカメラモジュール１００Ａの外部の電源またはその他の装置（例えば、アプリケーションプロセッサ（application processor））と電気的に連結することができる。
【００９４】
以下、カメラモジュール１００の製造方法の一実施例を添付図面に基づいて説明する。
【００９５】
まず、メイン基板１５０にイメージセンサ１８２を装着し、ミドルベース１７２と第２カバー１７４とが結合または配置されたホルダ１２０を、メイン基板１５０に装着、着座、接触、仮固定、支持、結合、または配置することができる。
【００９６】
この際、ホルダ１２０に装着された第１レンズ部１１０、１１０Ａ、第２レンズ部１３０、１３０Ａとイメージセンサ１８２との間のアクティブアライメント（第１整列）を行うことができる。第１整列は、ミドルベース１７２の両側を支持しながらミドルベース１７２およびホルダ１２０の位置を調節することによって行うことができる。ミドルベース１７２の両側を圧着して固定するジグを移動させながら第１整列を行うことができる。第１整列が完了した状態で、ミドルベース１７２をメイン基板１５０に固定することができる。
【００９７】
その後、ホルダ１２０の第１および第２開口ＯＰ１、ＯＰ２の少なくとも一つを通して液体レンズ部１４０をホルダ１２０に挿入し、液体レンズ部１４０とイメージセンサ１８２との間のアクティブアライメントを第２整列として行うことができる。第２整列は、液体レンズ部１４０をｘ軸方向に支持して液体レンズ部１４０の位置を調節することによって行うことができる。第２整列は、液体レンズ部１４０をｘ軸方向に圧着して固定するジグを移動させながら行うことができる。
【００９８】
その後、第１連結基板１４１および第２連結基板１４４のそれぞれをベンディングしてメイン基板１５０と電気的に連結する。ベンディング工程の後、第１連結基板１４１および第２連結基板１４４のそれぞれとメイン基板１５０との間の電気的な連結のためにソルダリング（soldering）工程を行う。
【００９９】
その後、第１カバー１７０を第１レンズ部１１０、ホルダ１２０、第２レンズ部１３０、液体レンズ部１４０およびミドルベース１７２に被せることによって、カメラモジュール１００Ａを完成する。
【０１００】
一方、図２に示した複数の回路素子１５１の一部は、電磁妨害（ＥＭＩ：ElectroMagnetic Interference）やノイズを引き起こすことができる。特に、複数の回路素子１５１の中でパワーインダクタ１５１−１は、他の素子より多くのＥＭＩを引き起こすことができる。このように、ＥＭＩやノイズを遮断するために、回路カバー１５４は、メイン基板１５０の素子領域に配置された回路素子１５１を覆うように配置されることができる。
【０１０１】
また、回路カバー１５４が回路素子１５１を覆うように配置される場合、メイン基板１５０の上部に配置された回路素子１５１を外部衝撃から保護することができる。このために、回路カバー１５４は、メイン基板１５０に配置された回路素子１５１の形状および位置を考慮して、回路素子１５１を収容して覆うための収容空間を含むことができる。
【０１０２】
一方、フィルタ１７６は、第１レンズ部１１０、１１０Ａ、液体レンズ部１４０および第２レンズ部１３０、１３０Ａを通過した光のうちの特定の波長範囲の光をフィルタリングすることができる。フィルタ１７６は、赤外線（ＩＲ）遮断フィルタまたは紫外線（ＵＶ）遮断フィルタであり得るが、実施例はこれに限定されない。フィルタ１７６は、イメージセンサ１８２上に配置されることができる。フィルタ１７６は、センサベース１７８の内部に配置されることができる。例えば、フィルタ１７６は、センサベース１７８の内部溝または段差部に配置されるか装着されることができる。
【０１０３】
センサベース１７８は、ミドルベース１７２の下部に配置され、メイン基板１５０に付着されることができる。センサベース１７８は、イメージセンサ１８２を取り囲み、イメージセンサ１８２を外部の異物または衝撃から保護することができる。
【０１０４】
メイン基板１５０は、センサベース１７８の下に配置され、メイン基板１５０上に回路素子１５１から離隔してセンサベース１７８が装着され、センサベース１７８上にミドルベース１７２、第２レンズ部１３０、１３０Ａ、液体レンズ部１４０および第１レンズ部１１０、１１０Ａが配置されたホルダ１２０が配置されることができる。
【０１０５】
また、図２に示したカメラモジュール１００は、センサベース１７８およびフィルタ１７６を含まなくてもよい。
【０１０６】
以下、前述した実施例によるカメラモジュール１００に含まれる液体レンズ部１４０の一例１４０Ａを添付の図５ａおよび図５ｂを参照して次のように説明する。図５ａおよび図５ｂは、前述した実施例による液体レンズを含む液体レンズ部１４０の一実施例１４０Ａの断面図を示す。
【０１０７】
図５ａおよび図５ｂに示した液体レンズ部１４０は、第１連結基板１４１、液体レンズ１４２、スペーサ１４３および第２連結基板１４４を含むことができる。スペーサ１４３についての説明は、前述したものと同一であるので、重複説明を省略し、説明の便宜上、図５ａおよび図５ｂにおいて、スペーサ１４３の図示は省略する。
【０１０８】
液体レンズ１４２は、複数の異種液体ＬＱ１、ＬＱ２、第１〜第３プレート１４７、１４５、１４６、第１および第２電極Ｅ１、Ｅ２ならびに絶縁層１４８を含むことができる。
【０１０９】
複数の液体ＬＱ１、ＬＱ２は、キャビティＣＡに収容され、伝導性を有する第１液体ＬＱ１と非伝導性を有する第２液体（または、絶縁液体）ＬＱ２とを含むことができる。第１液体ＬＱ１と第２液体ＬＱ２とは互いに混じらず、第１および第２液体ＬＱ１、ＬＱ２が接する部分に界面ＢＯが形成されることができる。例えば、第１液体ＬＱ１上に第２液体ＬＱ２が配置されることができるが、実施例はこれに限られない。
【０１１０】
また、液体レンズ１４２の断面形状で、第１および第２液体ＬＱ２、ＬＱ１の縁部は、中心部より厚さが薄いことができる。
【０１１１】
第１プレート１４７の内側面は、キャビティＣＡの側壁ｉを成すことができる。第１プレート１４７は、予め設定された（既設定の）傾斜面を有する上下の開口部を含むことができる。すなわち、キャビティＣＡは、第１プレート１４７の傾斜面、第２プレート１４５と接触する第３開口、および第３プレート１４６と接触する第４開口で取り囲まれた領域として定義することができる。
【０１１２】
第３および第４開口の中でより広い開口の直径は、液体レンズ１４２で要求する画角（ＦＯＶ）または液体レンズ１４２がカメラモジュール１００Ａで遂行すべき役割によって変わることができる。実施例によれば、第３開口の大きさ（または面積、または幅）Ｏ１より第４開口の大きさ（または面積、または幅）Ｏ２が大きいことができる。ここで、第３および第４開口のそれぞれの大きさは、水平方向（例えば、ｘ軸およびｙ軸方向）への断面積であることができる。例えば、第３および第４開口のそれぞれの大きさとは、開口の断面が円形の場合には半径を意味し、開口の断面が正方形の場合には対角線の長さを意味することができる。
【０１１３】
第３および第４開口のそれぞれは、円形の断面を有するホール（hole）の形状を有することができる。２種の液体が形成した界面ＢＯは、駆動電圧によってキャビティＣＡの傾斜面に沿って動くことができる。
【０１１４】
第１プレート１４７のキャビティＣＡに第１液体ＬＱ１および第２液体ＬＱ２が充填、収容または配置される。また、キャビティＣＡは、第１レンズ部１１０、１１０Ａを通過した光が透過する部位である。よって、第１プレート１４７は、透明な材料からなることもでき、光の透過が容易でないように不純物を含むこともできる。
【０１１５】
第１プレート１４７の一面および他面に、電極がそれぞれ配置されることができる。複数の第１電極Ｅ１は、第２電極Ｅ２から離隔して配置され、第１プレート１４７の一面（例えば、上面、側面および下面）に配置されることができる。第２電極Ｅ２は、第１プレート１４７の他面（例えば、下面）の少なくとも一部領域に配置され、第１液体ＬＱ１と直接接触することができる。
【０１１６】
また、第１電極Ｅ１は、ｎ個の電極（以下、‘個別電極’という）であることができ、第２電極Ｅ２は、単一の電極（以下、‘共通電極’という）であることができる。ここで、ｎは、２以上の正の整数であることができる。
【０１１７】
第１および第２電極Ｅ１、Ｅ２のそれぞれは、少なくとも一つの電極セクタを含むことができる。例えば、第１電極Ｅ１は、２つ以上の電極セクタを含み、第２電極Ｅ２は、少なくとも一つの電極セクタを含むことができる。例えば、複数の第１電極Ｅ１は、光軸を中心に時計方向（または、反時計方向）に沿って順次配置される複数の電極セクタを含むことができる。ここで、電極セクタとは電極の一部を意味する。
【０１１８】
第１プレート１４７の他面に配置された第２電極Ｅ２の一部（すなわち、第２電極Ｅ２の電極セクタ）が、伝導性を有する第１液体ＬＱ１に露出されることができる。
【０１１９】
第１および第２電極Ｅ１、Ｅ２のそれぞれは、導電性材料、例えば金属からなることができる。
【０１２０】
また、第２プレート１４５は、第１電極Ｅ１の一面に配置されることができる。すなわち、第２プレート１４５は、第１プレート１４７上に配置されることができる。具体的には、第２プレート１４５は、第１電極Ｅ１の上面およびキャビティＣＡ上に配置されることができる。
【０１２１】
第３プレート１４６は、第２電極Ｅ２の一面に配置されることができる。すなわち、第３プレート１４６は、第１プレート１４７の下に配置されることができる。具体的には、第３プレート１４６は、第２電極Ｅ２の下面およびキャビティＣＡの下に配置されることができる。また、第３プレートは、少なくとも下面、上面、および上面の縁端から垂直方向（例えば、Ｚ軸方向）に延びて第２電極Ｅの下面と接する内側面を含むことができる。
【０１２２】
第２プレート１４５と第３プレート１４６とは、第１プレート１４７を挟んで互いに対向するように配置されることができる。また、第２プレート１４５および第３プレート１４６の少なくとも一つは、省略することもできる。
【０１２３】
第２および第３プレート１４５、１４６の少なくとも一つは、方形平面形状を有することができる。第３プレート１４６は、第１プレート１４７とエッジ周辺の接合領域で接触して接着されることができる。
【０１２４】
第２および第３プレート１４５、１４６のそれぞれは、光が通過する領域であり、透光性材料からなることができる。例えば、第２および第３プレート１４５、１４６のそれぞれは、ガラス（glass）からなることができ、工程の便宜上、同じ材料から形成されることができる。また、第２および第３プレート１４５、１４６のそれぞれの縁部は、方形であり得るが、必ずしもこれに限定されない。
【０１２５】
第２プレート１４５は、第１レンズ部１１０、１１０Ａから入射する光が第１プレート１４５のキャビティＣＡの内部に進行するように許容する構成を有することができる。
【０１２６】
第３プレート１４６は、第１プレート１４５のキャビティＣＡを通過した光が第２レンズ部１３０、１３０Ａに進行するように許容する構成を有することができる。第３プレート１４６は、第１液体ＬＱ１と直接接触することができる。
【０１２７】
実施例によれば、第３プレート１４６は、第１プレート１４７の第３および第４開口の中で広い開口の直径より大きな直径を有することができる。また、第３プレート１４６は、第１プレート１４７から離隔した周辺領域を含むことができる。
【０１２８】
また、液体レンズ１４２の実際の有効レンズ領域は、第１プレート１４７の第３および第４開口の中で広い開口の直径（例えば、Ｏ２）より小さくてもよい。
【０１２９】
絶縁層１４８は、キャビティＣＡの上部領域で第２プレート１４５の下面の一部を覆うように配置されることができる。すなわち、絶縁層１４８は、第２液体ＬＱ２と第２プレート１４５との間に配置されることができる。
【０１３０】
また、絶縁層１４８は、キャビティＣＡの側壁を成す第１電極Ｅ１の一部を覆うように配置されることができる。また、絶縁層１４８は、第１プレート１４７の下面で、第１電極Ｅ１の一部および第１プレート１４７を覆うように配置されることができる。これにより、第１電極Ｅ１と第１液体ＬＱ１との間の接触および第１電極Ｅ１と第２液体Ｅ２との間の接触が絶縁層１４８によって遮断されることができる。図示とは違い、絶縁層１４８は、第２電極Ｅ２の少なくとも一部を覆うように縁部の方向に延びることもできる。
【０１３１】
絶縁層１４８は、第１および第２電極Ｅ１、Ｅ２の一電極（例えば、第１電極Ｅ１）を覆い、他の電極（例えば、第２電極Ｅ２）の一部を露出させることにより、伝導性を有する第１液体ＬＱ１に電気エネルギが印加されるようにすることができる。
【０１３２】
実施例によるカメラモジュール１００の場合、紫外線遮断や赤外線遮断のためのフィルタ１７６がミドルベース１７２とイメージセンサ１８２との間に配置され、第１レンズ部１１０、液体レンズ１４２および第２レンズ部１３０を通過した光に対して特定の波長範囲の光をフィルタリングする。また、このような赤外線遮断フィルタまたは紫外線遮断フィルタは、センサベース１７８の内部溝に装着される。
【０１３３】
少なくとも一つの基板、例えば、第１連結基板１４１および第２連結基板１４４は、液体レンズ１４２に電圧を供給する役割を果たす。このために、複数の第１電極Ｅ１は、第１連結基板１４１と電気的に連結され、第２電極Ｅ２は、第２連結基板１４４と電気的に連結されることができる。
【０１３４】
第１連結基板１４１および第２連結基板１４４を介して第１および第２電極Ｅ１、Ｅ２に駆動電圧が印加されるとき、第１液体ＬＱ１と第２液体ＬＱ２との間の界面ＢＯが変形し、液体レンズ１４２の曲率などの形状および焦点距離の少なくとも一つが変更（または、調整）されることができる。例えば、駆動電圧に応じて液体レンズ１４２内に形成される界面ＢＯの屈曲および傾斜度の少なくとも一つが変わって、液体レンズ１４２の焦点距離が調整されることができる。このような界面ＢＯが変形するか曲率半径が制御されれば、液体レンズ１４２、液体レンズ１４２を含むレンズアセンブリ１１０、１２０、１３０、１４０、カメラモジュール１００および光学機器は、オートフォーカス（ＡＦ：Auto-Focusing）機能、手ぶれ補正もしくは光学式手ぶれ補正（ＯＩＳ：Optical Image Stabilizer）機能などを果たすことができる。
【０１３５】
第１連結基板１４１は、互いに異なる４個の駆動電圧（以下、‘個別電圧’という）を液体レンズ１４２に伝達することができ、第２連結基板１４４は、単一の駆動電圧（以下、‘共通電圧’という）を液体レンズ１４２に伝達することができる。共通電圧は、ＤＣ電圧またはＡＣ電圧を含むことができ、共通電圧がパルス形態で印加される場合、パルスの幅またはデューティサイクル（duty cycle）は、一定であることができる。第１連結基板１４１を介して供給される個別電圧は、液体レンズ１４２の各角部に露出される複数の第１電極Ｅ１（または、複数の電極セクタ）に印加されることができる。
【０１３６】
たとえ図示されていないが、第１連結基板１４１と複数の第１電極Ｅ１との間に伝導性エポキシが配置されることにより、第１連結基板１４１と複数の第１電極Ｅ１とが接触、結合および通電されることができる。また、第２連結基板１４４と第２電極Ｅ２との間に伝導性エポキシが配置されることにより、第２連結基板１４４と第２電極Ｅ２とが接触、結合および通電されることができる。
【０１３７】
また、第１連結基板１４１と複数の第１電極Ｅ１とは、互いに別個の素子から具現されることもでき、一体型に具現されることもできる。また、第２連結基板１４４と第２電極Ｅ２とは、互いに別個の素子から具現されることもでき、一体型に具現されることもできる。
【０１３８】
一方、第１液体ＬＱ１と第２液体ＬＱ２との界面ＢＯがｘ−ｙ平面に平行な場合、一般的に、液体レンズは、光学的に０ジオプタの状態となる。このような状態で温度が増加すれば、液体レンズを構成する多様な構成要素の体積増加によって液体レンズの少なくとも一部に変形が発生してジオプタ値が変更されることがある。例えば、液体レンズが０ジオプタの状態で温度が増加する場合、第１液体ＬＱ１および第２液体ＬＱ２の体積が増加してキャビティＣＡの内部圧力が高くなる。それにより、第３プレート１４６が撓んで−ｚ軸方向に突出しながら変形が発生することができる。
【０１３９】
熱による変形を発生させる主熱源として、カメラモジュール１００の内部ではイメージセンサ１８２を挙げることができ、カメラモジュール１００が移動端末機などに実装される場合、移動端末機などの機器の内部で発生する熱が加わることになる。
【０１４０】
このような熱による変形を最小にするために、実施例による液体レンズ部１４０Ａは、弾性部材１９０Ａをさらに含むことができる。弾性部材１９０Ａは、周辺から加わる圧力によって体積が減少する形態で変形されるように構成されることができる。このような弾性部材は、シリコンや高分子素材などを含むことができるが、必ずしもこれに限定されるものではない。
【０１４１】
図５ａおよび図５ｂに示した弾性部材１９０Ａは、断面が四角形のものとして示されているが、必ずしもこれに限定されるものではない。例えば、弾性部材１９０Ａは、四角チューブ形断面を有し、内部空間に第１液体ＬＱ１および第２液体ＬＱ２より密度が低い媒質が充填されることができる。弾性部材１９０Ａの内部空間に充填可能な物質としては、ヘリウムのように密度が低い気体を挙げることができるが、これは、例示的なものであり、必ずしもこれに限定されるものではない。
【０１４２】
弾性部材１９０Ａは、円形、楕円形または多角形の平面形状を有することができる。例えば、弾性部材１９０Ａが四角形の平面形状を有する場合、弾性部材１９０Ａは、トロイダル形状を有することができる。
【０１４３】
例えば、弾性部材１９０Ａは、第２電極Ｅ２と第３プレート１４６との間で第３プレート１４６の内側面に沿って配置されることができる。
【０１４４】
弾性部材１９０Ａが液体レンズ部１４０Ａの内部に配置される場合、図５ｂのように、温度上昇によって液体レンズ部１４０Ａの構成要素、特に第２液体ＬＱ２の体積が増加してＺ軸方向に界面ＢＯ’が移動する。このとき、弾性部材１９０Ａは、他の構成要素の体積増加分だけ体積が減少して第３プレート１４６などの変形を最小にすることができる。
【０１４５】
このような弾性部材１９０Ａは、その形態および配置位置が多様に変更されることができる。以下では、図６〜図９ｃに基づいて他の実施例による液体レンズ部１４０Ｂ、１４０Ｃ、１４０Ｄ、１４０Ｅの構成を説明する。
【０１４６】
図６〜図９ｃは、他の実施例による液体レンズ部の構成例をそれぞれ示す。
【０１４７】
まず、図６に示した液体レンズ部１４０Ｂは、弾性部材１９０Ｂが平面（例えば、ｘ−ｙ平面）上で第１電極Ｅ１または絶縁層１４８と第２電極Ｅ２との間に配置されることができる。ここで、弾性部材１９０Ｂは、厚さ方向（例えば、ｚ軸）に少なくとも一部が第１プレート１４７の下面に形成された収容溝に埋め込まれることができる。このような場合、弾性部材１９０Ｂは、環形平面を有するトロイダル形状を有することができ、温度上昇によってキャビティＣＡの内部圧力が増加するとき、弾性部材１９０Ｂの下部がＺ軸方向に圧縮される形態で変形されることができる。
【０１４８】
実施例によって、図６に示したものとは違い、弾性部材１９０Ｂの下面のみ第１液体ＬＱ１と接触するようにＺ軸方向により深く第１プレート１４７に埋め込まれることもでき、より多い部分が第１液体ＬＱ１と接触するように弾性部材１９０Ｂが−Ｚ軸方向により突出することもできる。また、図６で弾性部材１９０Ｂがトロイダル形状の場合、内周面は絶縁層１４８と接触し、外周面は第２電極Ｅ２と接触することができるが、実施例によって内周面および外周面のそれぞれは、絶縁層１４８および第２電極Ｅ２の少なくとも一つと接触しないように平面上で離隔することもできる。また、図６では、第１電極Ｅ１が絶縁層１４８によって弾性部材１９０Ｂの内周面と接触しないが、他の実施例によれば、弾性部材１９０Ｂの内周面に第１電極Ｅ１と絶縁層１４８との両者が接することもできる。このような場合、第１電極Ｅ１は、絶縁層１４８および弾性部材１９０Ｂによって第１液体ＬＱ１から絶縁されることができる。
【０１４９】
次に、図７に示した液体レンズ部１４０Ｃの弾性部材１９０Ｃは、図６に示した弾性部材１９０Ｂに似ている形状を有し、第１プレート１４７の収容溝により安定的に収容されるために、上部に突出部１９０Ｃ−１をさらに含むことができる。このような場合、第１プレート１４７の収容溝も突出部１９０Ｃ−１まで収容するのに適した形状を有することができる。
【０１５０】
これとは違い、図８に示した液体レンズ部１４０Ｄの弾性部材１９０Ｄは、第１プレート１４７に収容されず、第１プレート１４７の下面に配置されることもできる。第１電極Ｅ１、第２電極Ｅ２および絶縁層１４８に対する弾性部材１９０Ｄの相対的な位置関係は、図６を参照して前述した通りであるので、重複説明は省略する。また、図８で、第３プレート１４６’の上面は、縁端から光軸ＬＸの方向に行くほど垂直方向（例えば、ｚ軸方向）への厚さが増加することができる。これにより、縁部に比べて相対的に変形に脆弱な第３プレート１４６’の中央部を補強することができる。このような第３プレート１４６’の形状は、前述した図５ａ〜図７はもちろんのこと、後述する図９ａの液体レンズ部１４０Ａ、１４０Ｂ、１４０Ｃ、１４０Ｅにも適用することができるのは言うまでもない。図８で、第３プレート１４６’の上面の厚さは、周辺部から中央部に行くほど曲線形断面形状を有するように増加するものとして示されているが、これとは違い、階段形断面形状に厚さが増加することもできる。
【０１５１】
一方、弾性部材１９０Ａ、１９０Ｂ、１９０Ｃ、１９０Ｄが温度上昇によるキャビティＣＡ内の圧力増加によって変形されることによって第３プレート１４６、１４６’の変形を防止することができても、界面ＢＯの位置の変化まで防止することはできない。よって、界面ＢＯの位置変化によってジオプタの変化が発生することがあるから、より正確なジオプタ制御のためには、後述する制御部２１０に界面ＢＯの変化、すなわち液体ＬＱ１、ＬＱ２の膨張程度についての情報を提供することが好ましい。液体ＬＱ１、ＬＱ２の膨張程度は、弾性部材の変形程度を測定し、これに基づいて予測することができる。このための液体レンズ部の構成を、図９ａ〜図９ｃに基づいて以下で説明する。
【０１５２】
図９ａは、さらに他の実施例による液体レンズ部１４０Ｅの構成の一例を示す断面図、図９ｂは、図９ａに示した液体レンズ部１４０Ｅの弾性部材１９０Ｅ、電極板１９０Ｅ−１、第３電極Ｅ３および第４電極Ｅ４のみを示す斜視図である。また、図９ｃは、図９ａに示した液体レンズ部１４０Ｅにおいて第３プレート１４６および第２連結基板１４４を省略した状態の底面図である。
【０１５３】
図９ａ〜図９ｃを一緒に参照すると、液体レンズ部１４０Ｅの弾性部材１９０Ｅは、図６に似ている形態を有する。ただし、図６とは違い、図９ａでは、弾性部材１９０Ｅの少なくとも一部の表面に電極板１９０Ｅ−１が配置され、電極板１９０Ｅ−１は、第４電極Ｅ４と電気的に連結される。具体的には、電極板１９０Ｅ−１は、弾性部材１９０Ｅがトロイダル形状を有すると仮定するとき、弾性部材１９０Ｅの外周面および上面にわたって配置されることができ、電極板１９０Ｅ−１の外周面に配置される部分が第４電極Ｅ４と電気的に連結されることができる。電極板１９０Ｅ−１、第３電極Ｅ３および第４電極Ｅ４は、第１電極Ｅ１や第２電極Ｅ２と同じ物質を含むことができるが、相異なる物質から構成されることもできる。
【０１５４】
第４電極Ｅ４は、第１プレート１４７の下面に配置されることができ、第２電極Ｅ２と同じ平面上に配置されることもできる。ただし、第４電極Ｅ４は、第２電極Ｅ２と絶縁されることが好ましい。例えば、図９ｃに示したように、第４電極Ｅ４と第２電極Ｅ２とは、第１絶縁部ＩＳ１および第２絶縁部ＩＳ２を介して絶縁されることができる。ここで、第１絶縁部ＩＳ１および第２絶縁部ＩＳ２は、それぞれ第４電極Ｅ４を全部覆うように第４電極Ｅ４上に延びることもできる。
【０１５５】
第３電極Ｅ３は、第１プレート１４７の縁部から延び、下面の少なくとも一部が弾性部材１９０Ｅの上面に配置された電極板１９０Ｅ−１に垂直な方向（例えば、Ｚ軸方向）に重畳するように光軸ＬＸに向かって延びることができる。
【０１５６】
弾性部材１９０Ｅの上面に配置された電極板１９０Ｅ−１は、垂直方向に第３電極と離隔され、キャビティＣＡの内部圧力の変化によって弾性部材１９０Ｅが垂直方向（すなわち、Ｚ軸方向）に移動することができるように、弾性部材１９０Ｅの上面に配置された電極板１９０Ｅ−１と対面する第３電極Ｅ３との間には、誘電層ＣＰが配置されることができる。誘電層ＣＰに相当する空間は、第１プレート１４７において弾性部材１９０Ｅを収容する収容溝が、弾性部材１９０Ｅの上面に配置された電極板１９０Ｅ−１に対応する平面形状にＺ軸方向に一定距離Ｄだけ延びることによって設けられることができる。誘電層ＣＰは、一定の誘電率を有する物質を含むことができ、弾性部材１９０Ｅの変形および移動に対応して圧縮されるように構成されることができる。本実施例は、誘電層ＣＰの物質構成および誘電率値に限定されない。
【０１５７】
したがって、第３電極Ｅ３、弾性部材１９０Ｅの上面に配置された電極板１９０Ｅ−１および誘電層ＣＰが垂直方向に重畳する面積に相当する面積、第３電極Ｅ３と電極板１９０Ｅ−１との間の垂直距離Ｄおよび誘電層ＣＰの誘電率によってキャパシタンスが発生する。具体的には、このようなキャパシタンスは、誘電層ＣＰの誘電率と重畳する面積に比例し、垂直距離Ｄに反比例する。ここで、重畳する面積および誘電層ＣＰの誘電率は一定であるので、実質的に垂直距離Ｄによってキャパシタンスが変化するようになる。結局、第３電極Ｅ３と第４電極Ｅ４との間のキャパシタンスの変化を測定すれば垂直距離Ｄの変化を算出することができ、垂直距離Ｄの変化によって液体ＬＱ１、ＬＱ２の膨張情報を算出することができる。また、膨張情報は、液体ＬＱ１、ＬＱ２の膨張による界面ＢＯの変化を補正するために、第１電極Ｅ１または第２電極Ｅ２の補正電圧に変換されることができる。例えば、垂直距離Ｄが増加すれば、補正電圧は、垂直距離Ｄの増加分に比例して増加することができる。
【０１５８】
したがって、さらに他の実施例による液体レンズ部１４０Ｅは、弾性部材１９０Ｅを備えることにより、温度上昇による変形を防止しながらも界面変化を補正することができる情報まで獲得することができるので、温度上昇の状況でもより正確なジオプタの制御が可能である。
【０１５９】
図１０は、本発明の実施例による液体レンズ部の効果を説明するために、弾性部材がなくて第３プレートが変形された場合の液体レンズ部１４０Ｆを示す。
【０１６０】
図１０による液体レンズ部１４０Ｆは、弾性部材１９０Ａ、１９０Ｂ、１９０Ｃ、１９０Ｄ、１９０Ｅを備えないので、温度上昇によるキャビティＣＡの内部圧力を調節することができない。よって、液体、特に第２液体ＬＱ２の体積膨張によるキャビティＣＡの内部圧力の上昇によって第３プレート１４６が変形されることができる。このような変形によってジオプタが変化することはもちろんのこと、ひどい場合は、第３プレート１４６が破損される問題点があり得る。一方、実施例による液体レンズ部１４０Ａ、１４０Ｂ、１４０Ｃ、１４０Ｄ、１４０Ｅは、弾性部材１９０Ａ、１９０Ｂ、１９０Ｃ、１９０Ｄ、１９０Ｅを備えることにより、温度上昇による液体レンズ部１４０Ａ、１４０Ｂ、１４０Ｃ、１４０Ｄ、１４０Ｅの変形や破損の危険を低減することができる。弾性部材の一部は、液体レンズの液体と接触し、液体レンズに収容される液体が熱などによって膨張するときに加圧されて収縮されることができる。弾性部材が収縮されることによって液体レンズを構成するプレートに加わる力を緩衝させることにより、液体レンズの耐久性を改善させ、プレートの撓みによる焦点距離の変化を減少させることができる。
【０１６１】
図１１は、カメラモジュール２００の概略ブロック図である。
【０１６２】
図１１を参照すると、カメラモジュール２００は、制御回路２１０およびレンズアセンブリ２５０を含むことができる。制御回路２１０は、図１に示した制御回路２４に相当し、レンズアセンブリ２５０は、図１に示したレンズアセンブリ２２または図２に示したレンズアセンブリ１１０、１２０、１３０、１４０に相当することができる。
【０１６３】
制御回路２１０は、制御部２２０を含むことができ、液体レンズ２８０を含む液体レンズ部１４０の動作を制御することができる。
【０１６４】
制御部２２０は、ＡＦ機能およびＯＩＳ機能を行うための構成を有し、ユーザの要求（要請）または感知結果（例えば、ジャイロセンサ２２５の動き信号など）を用いてレンズアセンブリ２５０に含まれる液体レンズ２８０を制御することができる。ここで、液体レンズ２８０は、前述した液体レンズ１４２に相当することができる。
【０１６５】
制御部２２０は、ジャイロセンサ２２５、コントローラ２３０および電圧ドライバ２３５を含むことができる。ジャイロセンサ２２５は、制御部２２０に含まれていない独立した構成であってもよく、制御部２２０に含まれることもできる。
【０１６６】
ジャイロセンサ２２５は、光学機器の上下および左右への手ぶれを補償するために、ヨー（Yaw）軸およびピッチ（Pitch）軸の２方向への動きの角速度を感知することができる。ジャイロセンサ２２５は、感知された角速度に相応する動き信号を生成してコントローラ２３０に提供することができる。
【０１６７】
コントローラ２３０は、ＯＩＳ機能を具現するために、低域通過フィルタ（ＬＰＦ：Low Pass Filter）を用いて動き信号から高周波数のノイズ成分を除去して所望帯域のみ抽出し、ノイズの除去された動き信号を使って手ぶれ量を計算し、計算された手ぶれ量を補償するために、液体レンズモジュール２６０の液体レンズ２８０が有しなければならない形状に対応する駆動電圧を計算することができる。
【０１６８】
特に、実施例による制御部２２０は、膨張情報測定部２２６をさらに含むことができる。膨張情報測定部２２６は、図９ａ〜図９ｃに示した第３電極Ｅ３と第４電極Ｅ４との間のキャパシタンスの変化を測定し、これに基づいて液体ＬＱ１、ＬＱ２の膨張による界面Ｂ０の変化を相殺するための補正電圧をコントローラ２３０に提供することができる。
【０１６９】
コントローラ２３０は、光学機器またはカメラモジュール２００の内部（例えば、イメージセンサ１８２）または外部（例えば、距離センサまたはアプリケーションプロセッサ）からＡＦ機能のための情報（すなわち、客体との距離情報）を受信することができ、距離情報から客体に焦点を合わせるための焦点距離によって液体レンズ２８０が有しなければならない形状に対応する駆動電圧を計算することができる。ここで、駆動電圧の計算で、コントローラ２３０は、膨張情報測定部２２６から獲得した補正電圧を考慮することができる。
【０１７０】
コントローラ２３０は、駆動電圧および駆動電圧を電圧ドライバ２３５が生成するようにするための駆動電圧コードをマッピングした駆動電圧テーブルを記憶（保存）することができ、計算された駆動電圧に対応する駆動電圧コードを駆動電圧テーブルを参照して獲得し、獲得された駆動電圧コードを電圧ドライバ２３５に出力することができる。
【０１７１】
電圧ドライバ２３５は、コントローラ２３０から提供されたデジタル形態の駆動電圧コードに基づき、駆動電圧コードに相応するアナログ形態の駆動電圧を生成してレンズアセンブリ２５０に提供することができる。
【０１７２】
電圧ドライバ２３５は、供給電圧（例えば、別途の電源回路から供給された電圧）を受けて電圧レベルを増加させる電圧ブースタ、電圧ブースタの出力を安定させるための電圧安定器、および液体レンズ２８０の各端子に電圧ブースタの出力を選択的に供給するためのスイッチ部を含むことができる。
【０１７３】
ここで、スイッチ部は、Ｈブリッジ（H Bridge）と呼ばれる回路の構成を含むことができる。電圧ブースタから出力された高電圧がスイッチ部の電源電圧に印加される。スイッチ部は、印加される電源電圧およびグラウンド電圧（ground voltage）を選択的に液体レンズ２８０の両端に供給することができる。ここで、液体レンズ２８０は、駆動のために、４個の電極セクタを含む４個の第１電極Ｅ１、第１連結基板１４１、１個の第２電極Ｅ２および第２連結基板１４４を含むことは前述したのと同一である。液体レンズ２８０の両端は、複数の第１電極Ｅ１のいずれか一つと第２電極Ｅ２とを意味することができる。また、液体レンズ２８０の両端は、４個の第１電極Ｅ１の４個の電極セクタのいずれか一つと第２電極Ｅ２の１個の電極セクタとを意味することができる。
【０１７４】
液体レンズ２８０の各電極セクタに予め設定された幅を有するパルス形態の電圧が印加されることができ、液体レンズ２８０に印加される駆動電圧は、第１電極Ｅ１および第２電極Ｅ２のそれぞれに印加される電圧の差である。
【０１７５】
また、電圧ドライバ２３５がコントローラ２３０から提供されたデジタル形態の駆動電圧コードによって液体レンズ２８０に印加される駆動電圧を制御するために、電圧ブースタは、増加する電圧レベルを制御し、スイッチ部は、共通電極および個別電極に印加されるパルス電圧の位相を制御することにより、駆動電圧コードに相応するアナログ形態の駆動電圧が生成されるようにする。
【０１７６】
すなわち、制御部２２０は、第１電極Ｅ１および第２電極Ｅ２のそれぞれに印加される電圧を制御することができる。
【０１７７】
制御回路２１０は、制御回路２１０の通信またはインターフェースの機能を果たすコネクタ（図示せず）をさらに含むことができる。例えば、Ｉ２Ｃ（Inter-Integrated Circuit）通信方式を使う制御回路２１０とＭＩＰＩ（Mobile Industry Processor Interface）通信方式を使うレンズアセンブリ２５０との間の通信のために、コネクタは、通信プロトコル変換を行うことができる。また、コネクタは、外部（例えば、バッテリ）から電源を受け、制御部２２０およびレンズアセンブリ２５０の動作に必要な電源を供給することができる。この場合、コネクタは、図２に示したコネクタ１５３に相当することができる。
【０１７８】
レンズアセンブリ２５０は、液体レンズモジュール２６０を含むことができ、液体レンズモジュール２６０は、駆動電圧提供部２７０および液体レンズ２８０を含むことができる。
【０１７９】
駆動電圧提供部２７０は、電圧ドライバ２３５から駆動電圧を受け、液体レンズ２８０に駆動電圧を提供することができる。ここで、駆動電圧は、ｎ個の個別電極のいずれか一つの個別電極と共通電極との間に印加されるアナログ電圧であることができる。
【０１８０】
駆動電圧提供部２７０は、制御回路２１０とレンズアセンブリ２５０との間の端子連結による損失を補償するための電圧調整回路（図示せず）もしくはノイズ除去回路（図示せず）を含むこともでき、または電圧ドライバ２３５から提供される電圧を液体レンズ２８０にバイパス（bypass）することもできる。
【０１８１】
駆動電圧提供部２７０は、連結部１５２の少なくとも一部を構成するＦＰＣＢ（または、基板）に配置されることができるが、実施例はこれに限定されない。連結部１５２は、駆動電圧提供部２７０を含むことができる。
【０１８２】
液体レンズ２８０は、駆動電圧によって第１液体ＬＱ１と第２液体ＬＱ２との間の界面ＢＯが変形してＡＦ機能およびＯＩＳ機能の少なくとも一つを果たすことができる。
【０１８３】
図１２の（ａ）および（ｂ）は、駆動電圧に応じて界面が調整される液体レンズ１４２を説明する図である。具体的には、図１２の（ａ）は、実施例による液体レンズ１４２の斜視図を示し、図１２の（ｂ）は、液体レンズ１４２の等価回路を示す。ここで、液体レンズ１４２は、図２の液体レンズ１４２と同一であるので、同じ参照符号を使う。
【０１８４】
まず、図１２の（ａ）を参照すると、駆動電圧に応じて界面ＢＯの形状が調整される液体レンズ１４２は、同じ角距離で４個の相異なる方向に配置され、複数の第１電極Ｅ１の複数の電極セクタＥ１１、Ｅ１２、Ｅ１３、Ｅ１４および第２電極Ｅ２の電極セクタＣ０を介して駆動電圧を受けることができる。複数の第１電極Ｅ１の複数の電極セクタＥ１１、Ｅ１２、Ｅ１３、Ｅ１４のいずれか一つと第２電極Ｅ２の電極セクタＣ０とを介して駆動電圧が印加されれば、キャビティＣＡに配置された第１液体ＬＱ１と第２液体ＬＱ２との界面ＢＯの形状が変形されることができる。第１液体ＬＱ１と第２液体ＬＱ２との界面ＢＯの変形の程度および形態は、ＡＦ機能およびＯＩＳ機能の少なくとも一つを具現するために、コントローラ２３０によって制御されることができる。
【０１８５】
また、図１２の（ｂ）を参照すると、液体レンズ１４２は、その液体レンズ１４２の一側が第１電極Ｅ１の相異なる電極セクタＥ１１、Ｅ１２、Ｅ１３、Ｅ１４から電圧を受け、その液体レンズ１４２の他側が第２電極Ｅ２の電極セクタＣ０と連結されて電圧を受ける複数のキャパシタ１４３として説明することができる。
【０１８６】
図１２の（ａ）で、複数の第１電極Ｅ１に含まれる相異なる電極セクタＥ１１、Ｅ１２、Ｅ１３、Ｅ１４の個数が４個であるものを例示しているが、実施例はこれに限定されない。
【０１８７】
実施例に基づいて前述したように、いくつかのみ記述したが、それ以外にも多様な形態の実施が可能である。前述した実施例の技術的内容は、互いに両立することができない技術ではない限り、多様な形態で組み合わせられることができ、これによって新しい実施形態で具現されることもできる。
【０１８８】
実施例に基づいて前述したように、いくつかのみ記述したが、それ以外にも多様な形態の実施が可能である。前述した実施例の技術的内容は、互いに両立することができない技術ではない限り、多様な形態で組み合わせられることができ、これによって新しい実施形態で具現されることもできる。
【０１８９】
一方、前述した実施例によるレンズアセンブリを含むカメラモジュール１００Ａ、１００Ｂを用いて光学機器を具現することができる。ここで、光学機器は、光信号を加工するか分析することができる装置を含むことができる。光学機器の例としては、カメラ／ビデオ装置、望遠鏡装置、顕微鏡装置、干渉計装置、光度計装置、偏光計装置、分光計装置、反射計装置、オートコリメータ装置、レンズメータ装置などがあり得、レンズアセンブリを含むことができる光学機器に本実施例を適用することができる。
【０１９０】
また、光学機器は、スマートフォン、ノートブック型コンピュータ、タブレット型コンピュータなどの携帯用装置として具現されることができる。このような光学機器は、カメラモジュール１００、映像を出力するディスプレイ部（図示せず）、カメラモジュール１００に電源を供給するバッテリ（図示せず）、ならびにカメラモジュール１００、ディスプレイ部、ディスプレイ部およびバッテリを実装する本体ハウジングを含むことができる。光学機器は、他の機器と通信することができる通信モジュール、およびデータを記憶することができるメモリ部をさらに含むことができる。通信モジュールおよびメモリ部も本体ハウジングに実装されることができる。
【０１９１】
本発明は、本発明の精神および必須特徴から逸脱しない範囲で他の特定の形態で具体化することができることは、当業者にとって明らかである。したがって、上記詳細な説明は、全ての面で制限的に解釈されてはならず、例示的なものとして考慮されなければならない。本発明の範囲は、添付の請求項の合理的解釈によって決定されなければならず、本発明の等価的範囲内の全ての変更は、本発明の範囲に含まれる。
【図１】
2021524607.tif 000003
【図２】
2021524607.tif 000004
【図３】
2021524607.tif 000005
【図４】
2021524607.tif 000006
【図５ａ】
2021524607.tif 000007
【図５ｂ】
2021524607.tif 000008
【図６】
2021524607.tif 000009
【図７】
2021524607.tif 000010
【図８】
2021524607.tif 000011
【図９ａ】
2021524607.tif 000012
【図９ｂ】
2021524607.tif 000013
【図９ｃ】
2021524607.tif 000014
【図１０】
2021524607.tif 000015
【図１１】
2021524607.tif 000016
【図１２（ａ）】
2021524607.tif 000017
【図１２（ｂ）】
2021524607.tif 000018
【手続補正書】
【提出日】令和3年1月26日(2021.1.26)
【手続補正１】
【補正対象書類名】特許請求の範囲
【補正対象項目名】全文
【補正方法】変更
【補正の内容】
【特許請求の範囲】
【請求項１】
伝導性の第１液体および非伝導性の第２液体を収容するキャビティ（cavity）を有する第１プレートと、
前記第１プレート上に配置される第１電極と、
前記第１プレートの下に配置される第２電極と、
前記第１電極上に配置される第２プレートと、
前記第２電極の下に配置される第３プレートと、
前記第１プレートと前記第３プレートとの間に配置される弾性部材と、を有する、液体レンズ。
【請求項２】
前記弾性部材は、前記第１プレートの下面に配置された収容溝に少なくとも一部が収容される、請求項１に記載の液体レンズ。
【請求項３】
前記第１電極は、前記キャビティの側壁を成す前記第１プレートの側面および底面に沿って延び、
前記弾性部材は、前記第１プレートの底面上で前記第１電極と前記第２電極との間に配置され、トロイダル形状を有する、請求項１に記載の液体レンズ。
【請求項４】
前記弾性部材は、上面および外周面の少なくとも一部にわたって配置される電極板を有し、
前記液体レンズは、
前記第１プレート内に配置される第３電極と、
前記第３電極と前記弾性部材の上面に配置された前記電極板との間に配置される誘電層と、
前記第１プレートの下面に配置され、前記外周面に配置された前記電極板と電気的に連結される第４電極と、をさらに有し、
前記第３電極、前記誘電層および前記外周面に配置された前記電極板は、垂直方向に少なくとも一部が重畳する、請求項３に記載の液体レンズ。
【請求項５】
第１開口と、前記第１開口と光軸方向に垂直な方向に対面する第２開口と、を有するホルダと、
前記第１開口と前記第２開口との間に配置される液体レンズ部と、を有し、
前記液体レンズ部は、
伝導性の第１液体および非伝導性の第２液体を収容するキャビティ（cavity）を有する第１プレートと、
前記第１プレート上に配置される第１電極と、
前記第１プレートの下に配置される第２電極と、
前記第１電極上に配置される第２プレートと、
前記第２電極の下に配置される第３プレートと、
前記第１液体と接触し、前記第１液体の膨張によって加圧されて収縮する弾性部材と、を有する、レンズアセンブリ。
【国際調査報告】
2021524607.tif 000019
2021524607.tif 000020
2021524607.tif 000021
2021524607.tif 000022
2021524607.tif 000023
2021524607.tif 000024